(57)【要約】  【課題】  様々な種類のブラインド及びそのブラインド取付用ブラケットと共に使用することができ、且つ化粧カバーとブラインドとの位置決めを行なうことができる化粧カバー取付用ブラケットとする。  【解決手段】  化粧カバー取付用ブラケット１０は、化粧カバー２０が固定される水平支持片１４と固定取付面２２に固定される垂直支持片１２とから構成され、垂直支持片１２には、多種のブラインド取付用ブラケットを固定取付面２２に対して固定するために、長孔１２ｃ及び垂直孔１２ｄからなるブラケット用取付孔によって構成されるブラケット取付部１２ｂが設けられる。【選択図】  図１
2006299531.tif 000002
【特許請求の範囲】
【請求項１】
化粧カバー（２０）を固定取付面（２２）に取り付けるための化粧カバー取付用ブラケットであって、
化粧カバー（２０）が固定される水平支持片（１４）と、固定取付面（２２）に固定される垂直支持片（１２）とから構成され、垂直支持片（１２）には、多種のブラインド取付用ブラケット（３０）に対して該ブラインド取付用ブラケット（３０）を固定取付面（２２）に固定可能となったブラケット取付部（１２ｂ）が設けられることを特徴とする化粧カバー取付用ブラケット。
【請求項２】
前記ブラケット取付部（１２ｂ）は、多種のブラインド取付用ブラケット（３０）の取付孔（３２ａ）に整合可能なブラケット用取付孔によって形成されることを特徴とする請求項１記載の化粧カバー取付用ブラケット。
【請求項３】
前記ブラケット取付孔（１２ｂ）は、複数の長孔（１２ｃ）が連結された溝部により構成されることを特徴とする請求項２記載の化粧カバー取付用ブラケット。
【請求項４】
水平支持片（１４）には化粧カバー（２０）の天板（２０ａ）の上面に当接可能な水平補助片（１４ｂ）が形成され、水平補助片（１４ｂ）以外の水平支持片（１４）に化粧カバー（２０）の天板（２０ａ）が載置可能となっており、水平補助片（１４ｂ）と該水平補助片（１４ｂ）以外の水平支持片（１４）にそれぞれ化粧カバー（２０）を固定するための化粧カバー用取付孔（１４ａ）が形成されることを特徴とする請求項１ないし３のいずれか１項に記載の化粧カバー取付用ブラケット。
【請求項５】
前記垂直支持片（１２）には、化粧カバー（２０）の最上部からの距離を示す目盛り（１２ｅ）が設けられることを特徴とする請求項１ないし４のいずれか１項に記載の化粧カバー取付用ブラケット。
【発明の詳細な説明】
【技術分野】
【０００１】
本発明は、化粧カバーを固定取付面に取り付けるための化粧カバー取付用ブラケットに関する。
【背景技術】
【０００２】
従来、この種の化粧カバー取付用ブラケットとしては、特許文献１に記載されたブラインド用バランス取付装置が知られている。このブラインド用バランス取付装置は、ブラインドのヘッドボックスを取り付けるヘッドボックス取付用ブラケットと共に固定取付面である壁面に取り付けられた水平のバランス取付具の前端を下方に曲げてバランスレール取付部を形成し、該バランスレール取付部に仮止め用突起及び水平の突片を形成している。そして、バランスレールを仮止め用突起に係合して、水平の突片のネジ孔にネジをねじ込んでバランスレールを固定し、バランスレールの上にバランスを取り付けており、こうして、ヘッドボックスの前にバランスを取り付けることができるようになる。
【０００３】
しかしながら、バランス取付具がヘッドボックス取付用ブラケットと共に窓枠等の壁面に共締めにより固定されるために、バランスを取り付けるブラインドの種類が変更になった場合には、バランス取付具まで全て取り外さなければならず、または、ブラインドの種類が変更になった場合に、その変更になったブラインドのヘッドボックス取付用ブラケットが共締めに対応できない場合もあり、使用できるヘッドボックス取付用ブラケットが限定される、という問題がある。
【０００４】
また、上記バランス取付具は、ブラインドの上方を覆うことが可能な天板を持つ化粧カバーに適用するのは困難であるという問題もある。
【０００５】
一方、特許文献２に記載されたカーテンボックス取付構造では、カーテンボックス用取付部材が、カーテンボックスの天板部材を載置する載置横片と、載置横片の上方に位置して天板部材の上面を固定する固定横片と、を有し、天板部材の下面に凹部が形成され、この凹部に、取付部材の載置横片に設けられた上方に向けて突出する係止突片が位置付けられている。そして、天板部材を取付部材の載置横片上に載置するようにして、カーテンボックスを仮係止し、固定横片を固定具によって天板部材の上面に固定することによって本固定を行なうようになっており、天板部材即ち天板を有する化粧カバーに対して適用することができ、仮止めをした後、本固定をすることができるようになっている。
【０００６】
しかしながら、特許文献２に記載されたカーテンボックス取付構造では、カーテンボックスの天板部材が天井面に接近している場合には、本固定をするための固定具を天板部材の上面に固定するための作業スペースがないため、取り付けることが困難になる、という問題がある。
【０００７】
【特許文献１】実公平７−２３５１０号公報
【特許文献２】実開平３−７４８８４号公報
【発明の開示】
【発明が解決しようとする課題】
【０００８】
本発明はかかる課題に鑑みなされたもので、様々な種類のブラインド及びそのブラインド取付用ブラケットと共に使用することができ、且つ化粧カバーとブラインドとの位置決めを行なうことができる化粧カバー取付用ブラケットを提供することをその目的とする。
【０００９】
また、別の目的は、天板を有する化粧カバーに対して取付時に仮止めを行なうことができ、且つ上方に作業スペースがない場合にも化粧カバーの本固定を行なうことができる化粧カバー取付用ブラケットを提供することである。
【課題を解決するための手段】
【００１０】
前述した目的を達成するために、請求項１記載の発明は化粧カバーを固定取付面に取り付けるための化粧カバー取付用ブラケットであって、
化粧カバーが固定される水平支持片と、固定取付面に固定される垂直支持片とから構成され、垂直支持片には、多種のブラインド取付用ブラケットに対して該ブラインド取付用ブラケットを固定取付面に固定可能となったブラケット取付部が設けられることを特徴とする。
【００１１】
請求項２記載の発明は、請求項１記載のものにおいて、前記ブラケット取付部が、多種のブラインド取付用ブラケットの取付孔に整合可能なブラケット用取付孔によって形成されることを特徴とする。
【００１２】
請求項３記載の発明は、請求項２記載の前記ブラケット取付孔が、複数の長孔が連結された溝部により構成されることを特徴とする。
【００１３】
請求項４記載の発明は、請求項１ないし３のいずれか１項に記載の水平支持片に化粧カバーの天板の上面に当接可能な水平補助片が形成され、水平補助片以外の水平支持片に化粧カバーの天板が載置可能となっており、水平補助片と該水平補助片以外の水平支持片にそれぞれ化粧カバーを固定するための化粧カバー用取付孔が形成されることを特徴とする。
【００１４】
請求項５記載の発明は、請求項１ないし４のいずれか１項に記載の前記垂直支持片に、化粧カバーの最上部からの距離を示す目盛りが設けられることを特徴とする。
【発明の効果】
【００１５】
本発明によれば、垂直支持片にブラインド取付用ブラケットを固定取付面に対して固定するためのブラケット取付部が形成されているために、ブラインド取付用ブラケットをブラケット取付部に対して着脱することにより、化粧カバー取付用ブラケットを取り外すことなく、ブラインド取付用ブラケットを交換することが可能となる。
【００１６】
ブラケット取付部は多種のブラインド取付用ブラケットに適用可能となっており、多種のブラインドに対して本発明の化粧カバー取付用ブラケットを用いて化粧カバーを取り付けることができるようになる。また、ブラケット取付部によって、ブラインド取付用ブラケットを化粧カバー取付用ブラケットに対して位置決めすることができ、結果としてブラインドと化粧カバーとの位置決めを行うことができる。
【００１７】
請求項２記載の発明によれば、ブラケット用取付孔とブラインド取付用ブラケットの取付孔とを整合させて取付ネジを挿通させることで、ブラインド取付用ブラケットを固定取付面に固定することができる。
【００１８】
請求項３記載の発明によれば、複数の長孔が連結された溝部によって、多種のブラインドのブラインド取付用ブラケットの取付孔の配置に適応することができるようになる。そして、その溝部のいずれかの部分にブラインド取付用ブラケットの取付孔を整合させることによって、ブラインド取付用ブラケットの化粧カバー取付用ブラケットに対する位置決めを確実に行うことができるようになる。
【００１９】
請求項４記載の発明によれば、水平支持片の上に化粧カバーの天板を載せて、化粧カバーの天板の上面を水平補助片に当接させることで、化粧カバー取付時に化粧カバーを化粧カバー取付用ブラケットに仮係止させることができる。そして、水平補助片と該水平補助片以外の水平支持片にそれぞれ形成された化粧カバー用取付孔のいずれかまたは両方を使用して化粧カバーを固定することで、周囲の作業スペースの状況に合わせて化粧カバーを水平支持片に固定することができる。
【００２０】
請求項５記載の発明によれば、化粧カバー取付用ブラケットを固定取付面に固定する際に、目盛りを参照することにより、化粧カバーの最上部からの距離を考慮して作業することができる。
【発明を実施するための最良の形態】
【００２１】
以下、図面を用いて本発明の実施の形態を説明する。
図１及び図２は本発明の実施形態にかかる化粧カバー取付用ブラケットの斜視図である。図示したように、化粧カバー取付用ブラケット１０は、略逆Ｌ字の側面形状をなす垂直支持片１２と水平支持片１４とから構成される。
【００２２】
垂直支持片１２は壁面、窓枠等の固定取付面２２（図３参照）に固定されるもので、垂直支持片１２にはその両側に固定取付面２２に取り付けるための複数の取付孔１２ａが穿設されている。固定取付面２２の状況またはブラインド取付用ブラケット３０の種類によって、複数の取付孔１２ａのうち適当な位置にある幾つかの取付孔１２ａが選択されて、該選択された取付孔１２ａに固定取付面２２にねじ込まれる取付ネジ２４が挿通される。
【００２３】
さらに垂直支持片１２の取付孔１２ａが形成される部位以外の部位となる中央部には、ブラケット取付用ブラケット３０を固定取付面２２に固定するためのブラケット取付部１２ｂが設けられる。ブラケット取付部１２ｂは具体的には、図示したような複数の水平方向に伸びる長孔１２ｃと、該長孔１２ｃを連結する垂直孔１２ｄとからなる溝部からなるブラケット取付孔で構成される。
【００２４】
また、垂直支持片１２には目盛り１２ｅとなる数字が垂直方向に刻まれている。この目盛り１２ｅは、該化粧カバー取付用ブラケット１０によって取り付けられる化粧カバー２０の最頂面からの寸法を表すように予め定められているとよい。これによって、化粧カバー取付用ブラケット１０を固定取付面２２に取り付ける作業中に、化粧カバー２０の最頂面がどこの位置にくるかを予測しながら、取り付けることが可能になる。
【００２５】
水平支持片１４は化粧カバー２０が固定されるもので、水平支持片１４の両側には、化粧カバー２０を取り付けるための複数の取付孔１４ａが穿設されている。後述のように周囲の状況、化粧カバー２０の形状及びブラインド３４の形状によって、複数の取付孔１４ａのうち適当なものが選択されて化粧カバー２０にねじ込まれる取付ネジ３６が挿通される。
【００２６】
また、水平支持片１４の取付孔１４ａが形成される部位以外の部位となる中央部には、水平支持片１４の一般部から切り起こされて、化粧カバー２０の上面に当接可能な水平補助片１４ｂが形成される。水平補助片１４ｂと水平支持片１４の一般部との間の隙間は、化粧カバー２０の天板２０ａの厚みに対応したものとなっている。水平補助片１４ｂには、化粧カバー２０を取り付けるための複数の取付孔１４ｃが穿設され、後述のように周囲の状況及び化粧カバー２０の状況によって、必要に応じて選択された取付孔１４ｃに化粧カバー２０にねじ込まれる取付ネジ３６が挿通される。
【００２７】
以上のように構成される化粧カバー取付用ブラケット１０は、まず、その垂直支持片１２が固定取付面２２に、前述のように適宜選択された取付孔１２ａを挿通する取付ネジ２４によって固定される。このときに、垂直支持片１２に設けられた目盛り１２ｅを参照することで、上方にスペースが少ないときに、化粧カバー２０の最頂面がどこにくるかを予め把握することができるので、取付ミスを回避することができ、且つ化粧カバー２０の位置を考慮して作業を行なうことができるので、施工性が向上する。この化粧カバー取付用ブラケット１０は、化粧カバー２０の幅方向の長さに対応して水平方向に適度な間隔をあけて、固定取付面２２に複数個取り付けられる。
【００２８】
化粧カバー取付用ブラケット１０が固定取付面２２に取り付けられた後に、ブラインド取付用ブラケット３０が垂直支持片１２のブラケット取付部１２ｂに取り付けられる。ブラインド取付用ブラケット３０は、図５及び図６に例示したように、ブラインドの種類に応じて様々なものが存在するが、共通して垂直な垂直取付面３２を有しており、且つその垂直取付面３２に複数の取付孔３２ａが形成されている。そこで、垂直取付面３２をブラケット取付部１２ｂに合わせる。このときにブラケット取付部１２ｂには複数の長孔１２ｃ及び垂直孔１２ｄが形成されているので、図６(ａ)（ｂ）に示したように、そのブラインド取付用ブラケット３０の取付孔３２ａと長孔１２ｃまたは垂直孔１２ｄとが整合するようにブラインド取付用ブラケット３０が適宜、位置決めされ、該取付孔３２ａと長孔１２ｃまたは垂直孔１２ｄとを挿通する取付ネジ３８によって固定取付面２２に固定される。複数の長孔１２ｃと垂直孔１２ｄとが形成されているために、例示した以外のブラインド取付用ブラケットの取付孔の配置にも適応することができる。
【００２９】
こうして、ブラケット取付部１２ｂの長孔１２ｃまたは垂直孔１２ｄを目安として、ブラインド取付用ブラケット３０をブラケット取付部１２ｂを介して固定取付面２２に取り付けることにより、ブラインド取付用ブラケット３０に取り付けられるブラインド３４と、化粧カバー取付用ブラケット１０によって取り付けられる化粧カバー２０との相対的な位置決めが自動的に行われることとなる。
【００３０】
また、化粧カバー取付用ブラケット１０が取り付けられた後に、化粧カバー２０が取り付けられる。化粧カバー２０は、その天板２０ａが水平支持片１４の一般部に載置され、且つ天板２０ａの上面が水平補助片１４ｂによって当接されるように、水平補助片１４ｂと水平支持片１４の一般部との間に天板２０ａを挟むことで、仮係止させることができる。この状態で、上方から水平補助片１４ｂの取付孔１４ｃを挿通する取付ネジ３６、及び下方から水平支持片１４の取付孔１４ａを挿通する取付ネジ３６のいずれかまたは両方によって、化粧カバー２０が水平支持片１４に固定される。いずれの取付孔１４ｃ、１４ａを用いるかは、その化粧カバー２０が取り付けられる取付場所の状況に応じて選択されるとよい。例えば、上方に作業スペースがない場合には、下方から水平支持片１４の取付孔１４ａを挿通する取付ネジ３６のみによって固定すればよい。
【００３１】
以上のブラインド取付用ブラケット３０と化粧カバー２０との取付は、いずれの取付をも先に行うことができ、作業性に自由度がある。また、全て取付後に、取り付けるブラインドの種類が変更になり、ブラインド取付用ブラケット３０も異なる種類のものが取り付けられる場合には、化粧カバー取付用ブラケット１０はそのままの状態で、ブラインド取付用ブラケット３０のみを交換することができる。こうして、任意の所望のブラインド３４に化粧カバー２０を設けることが可能になる。
【００３２】
図７は、第２の実施形態に係る化粧カバー取付用ブラケットを表す。この例では、ブラケット取付部１２ｂが長孔１２ｃと垂直孔１２ｄで構成される代わりに、大きな溝部１２ｆによって構成される点で、第１実施形態と異なっている。溝部１２ｆの形状は、取り付けられる全ての種類のブラインド取付用ブラケット３０がはまり込むことができるような形状となっているか、またはブラインド取付用ブラケット３０の垂直取付面３２の縁部の少なくとも一部に合致する形状となっているとよい。これにより、図８(ａ)（ｂ）に示したように、ブラインド取付用ブラケット３０の位置決めを行なうことができるようになる。
【００３３】
こうして、ブラインド取付用ブラケット３０の垂直取付面３２を、ブラケット取付部１２ｂを介して固定取付面２２に固定することができ、化粧カバー取付用ブラケット１０はそのままの状態で、ブラインド取付用ブラケット３０の着脱を自在に行なうことができる。
【図面の簡単な説明】
【００３４】
【図１】本発明の実施形態にかかる化粧カバー取付用ブラケットの斜視図である。
【図２】本発明の実施形態にかかる化粧カバー取付用ブラケットの下方から見た斜視図である。
【図３】本発明の実施形態にかかる化粧カバー取付用ブラケット及びそれによって取り付けられた化粧カバー並びにブラインドを表す横断面図である。
【図４】ブラインド及びブラインド取付用ブラケットを除く図３の４−４線に沿って見た断面図である。
【図５】（ａ）及び（ｂ）は化粧カバー取付用ブラケット及び様々なブラインド取付用ブラケットを固定取付面に固定した状態を表す側面図である。
【図６】（ａ）及び（ｂ）は化粧カバー取付用ブラケット及び様々なブラインド取付用ブラケットを固定取付面に固定した状態の固定取付面側から見た背面図である。
【図７】本発明の第２の実施形態にかかる化粧カバー取付用ブラケットの下方から見た斜視図である。
【図８】（ａ）及び（ｂ）は第２の実施形態による化粧カバー取付用ブラケット及び様々なブラインド取付用ブラケットを固定取付面に固定した状態の固定取付面側から見た背面図である。
【符号の説明】
【００３５】
１０  化粧カバー取付用ブラケット
１２  垂直支持片
１２ｂ  ブラケット取付部
１２ｃ  長孔
１２ｄ  垂直孔
１２ｅ  目盛り
１２ｆ  溝部
１４  水平支持片
１４ａ  取付孔
１４ｂ  水平補助片
１４ｃ  取付孔
２０  化粧カバー
２０ａ  天板
２２  固定取付面
３０  ブラインド取付用ブラケット
３２ａ  取付孔
【図１】
2006299531.tif 000003
【図２】
2006299531.tif 000004
【図３】
2006299531.tif 000005
【図４】
2006299531.tif 000006
【図５】
2006299531.tif 000007
【図６】
2006299531.tif 000008
【図７】
2006299531.tif 000009
【図８】
2006299531.tif 000010